(57)【要約】  トラクション性能を確保しつつ、従来よりも、旋回時のグリップ性が向上した自動二輪車用タイヤを提供する。  トレッド部１０のタイヤ赤道上に形成された中央ブロック１１からなる中央ブロック列と、中央ブロック列よりもタイヤ幅方向外側に形成された中間ブロック１２からなる少なくとも１列の中間ブロック列と、タイヤ幅方向において最外のブロックとなるショルダーブロック１３からなるショルダーブロック列と、を有し、中央ブロック１１と、中間ブロック列のうちタイヤ幅方向最も内側の中間ブロック列を構成する中間ブロック１２Ａとが、タイヤ周方向およびタイヤ幅方向において離間している。
2019151505.tif 000002
【特許請求の範囲】
【請求項１】
環状に形成されたトレッド部を備えた自動二輪車用タイヤにおいて、
前記トレッド部のタイヤ赤道上に形成された中央ブロックからなる中央ブロック列と、該中央ブロック列よりもタイヤ幅方向外側に形成された中間ブロックからなる少なくとも１列の中間ブロック列と、タイヤ幅方向において最外のブロックとなるショルダーブロックからなるショルダーブロック列と、を有し、
前記中央ブロックと、前記中間ブロック列のうちタイヤ幅方向最も内側の中間ブロック列を構成する中間ブロックとが、タイヤ周方向およびタイヤ幅方向において離間していることを特徴とする自動二輪車用タイヤ。
【請求項２】
前記ショルダーブロックよりも回転方向後着側に位置する前記中間ブロックほど、タイヤ幅方向最外端部がタイヤ幅方向内側である請求項１記載の自動二輪車用タイヤ。
【請求項３】
前記中間ブロックのタイヤ赤道側の壁部が、凹状である請求項１または２記載の自動二輪車用タイヤ。
【請求項４】
前記ショルダーブロックのタイヤ赤道側の壁部が、凹状である請求項１〜３のうちいずれか一項記載の自動二輪車用タイヤ。
【請求項５】
前記中間ブロック列が２列であり、タイヤ幅方向内側の第１の中間ブロック列を構成する中間ブロックのタイヤ赤道側の壁部、タイヤ幅方向外側の第２の中間ブロック列を構成する中間ブロックのタイヤ赤道側の壁部、および前記ショルダーブロックのタイヤ赤道側の壁部が凹状であり、
前記第１の中間ブロック列を構成する中間ブロックにおいて、タイヤ赤道側の壁部における回転方向先着側端部と回転方向後着側端部とを結んだ直線Ｌ１と、タイヤ赤道側の壁部における回転方向後着側端部とタイヤ赤道側の壁部の前記Ｌ１から最も遠い点とを結んだ線と、のなす角のうち小さい方をθ１、前記第２の中間ブロック列を構成する中間ブロックにおいて、タイヤ赤道側の壁部における回転方向先着側端部と回転方向後着側端部とを結んだ直線Ｌ２と、タイヤ赤道側の壁部における回転方向後着側端部とタイヤ赤道側の壁部の前記Ｌ２から最も遠い点とを結んだ線と、のなす角のうち小さい方をθ２、前記ショルダーブロックにおいて、タイヤ赤道側の壁部における回転方向先着側端部と回転方向後着側端部とを結んだ直線Ｌ３と、タイヤ赤道側の壁部における回転方向後着側端部とタイヤ赤道側の壁部の前記Ｌ３から最も遠い点とを結んだ線と、のなす角のうち小さい方をθ３、としたとき、下記式（１）、
θ１＞θ２＞θ３      （１）
で表される関係を満足する請求項１記載の自動二輪車用タイヤ。
【発明の詳細な説明】
【技術分野】
【０００１】
本発明は、自動二輪車用タイヤ（以下、単に「タイヤ」とも称す）に関し、詳しくは、トラクション性能を確保しつつ、従来よりも、旋回時のグリップ性が向上した自動二輪車用タイヤに関する。
【背景技術】
【０００２】
砂地や泥濘地等の不整地での走行を目的とした、不整地走行用の自動二輪車用タイヤは、トレッド部に複数のブロックを配したブロックパターンが採用されている。今日、このようなタイヤにおいて、様々なトレッドパターンが提案されている。例えば、特許文献１では、直進トラクション性能を向上させると共に、旋回性能をも向上させた自動二輪車用タイヤが提案されている。【０００３】
具体的には、トレッド部に設けたブロックを、中央ブロック、中間ブロック、ショルダーブロックと分け、中央ブロックの直進トラクション性を高めるために、中央ブロックを、周方向に垂直なエッジを持ち、かつ、タイヤ幅方向に対して幅広としており、また、旋回時のグリップ性を高めるために、中央ブロックおよび中間ブロックのタイヤ周方向に対する重なり合い部分を無くした自動二輪車用タイヤが提案されている。
【先行技術文献】
【特許文献】
【０００４】
【特許文献１】特開２０１５−１１３１１１号公報
【発明の概要】
【発明が解決しようとする課題】
【０００５】
今日、不整地での使用を目的としたモトクロスおよびエンデューロ用のタイヤにおいては、直進トラクション性および旋回時のグリップ性に対する要望がさらに高まっており、さらなる改良が求められているのが現状である。【０００６】
そこで、本発明の目的は、トラクション性能を確保しつつ、従来よりも、旋回時のグリップ性が向上した自動二輪車用タイヤを提供することにある。
【課題を解決するための手段】
【０００７】
本発明者は、上記課題を解決するために鋭意検討した結果、タイヤ赤道上に形成された中央ブロックと、中央ブロックよりもタイヤ幅方向外側に形成された中間ブロックと、タイヤ幅方向において最外のブロックとなるショルダーブロックとを有するタイヤにおいては、中央ブロックと中間ブロックとのタイヤ周方向およびタイヤ幅方向における配置位置を適正化することで、上記課題を解消することができることを見出し、本発明を完成するに至った。【０００８】
すなわち、本発明の自動二輪車用タイヤは、環状に形成されたトレッド部を備えた自動二輪車用タイヤにおいて、
前記トレッド部のタイヤ赤道上に形成された中央ブロックからなる中央ブロック列と、該中央ブロック列よりもタイヤ幅方向外側に形成された中間ブロックからなる少なくとも１列の中間ブロック列と、タイヤ幅方向において最外のブロックとなるショルダーブロックからなるショルダーブロック列と、を有し、
前記中央ブロックと、前記中間ブロック列のうちタイヤ幅方向最も内側の中間ブロック列を構成する中間ブロックとが、タイヤ周方向およびタイヤ幅方向において離間していることを特徴とするものである。【０００９】
本発明のタイヤにおいては、前記ショルダーブロックよりも回転方向後着側に位置する前記中間ブロックほど、タイヤ幅方向最外端部がタイヤ幅方向内側であることが好ましい。また、本発明のタイヤにおいては、前記中間ブロックのタイヤ赤道側の壁部が、凹状であることや、前記ショルダーブロックのタイヤ赤道側の壁部が、凹状であることが好ましく、特に好ましくは、前記中間ブロック列が２列であり、タイヤ幅方向内側の第１の中間ブロック列を構成する中間ブロックのタイヤ赤道側の壁部、タイヤ幅方向外側の第２の中間ブロック列を構成する中間ブロックのタイヤ赤道側の壁部、および前記ショルダーブロックのタイヤ赤道側の壁部が凹状であり、
前記第１の中間ブロック列を構成する中間ブロックにおいて、タイヤ赤道側の壁部における回転方向先着側端部と回転方向後着側端部とを結んだ直線Ｌ１と、タイヤ赤道側の壁部における回転方向後着側端部とタイヤ赤道側の壁部の前記Ｌ１から最も遠い点とを結んだ線と、のなす角のうち小さい方をθ１、前記第２の中間ブロック列を構成する中間ブロックにおいて、タイヤ赤道側の壁部における回転方向先着側端部と回転方向後着側端部とを結んだ直線Ｌ２と、タイヤ赤道側の壁部における回転方向後着側端部とタイヤ赤道側の壁部の前記Ｌ２から最も遠い点とを結んだ線と、のなす角のうち小さい方をθ２、前記ショルダーブロックにおいて、タイヤ赤道側の壁部における回転方向先着側端部と回転方向後着側端部とを結んだ直線Ｌ３と、タイヤ赤道側の壁部における回転方向後着側端部とタイヤ赤道側の壁部の前記Ｌ３から最も遠い点とを結んだ線と、のなす角のうち小さい方をθ３、としたとき、下記式（１）、
θ１＞θ２＞θ３      （１）
で表される関係を満足する。
【発明の効果】
【００１０】
本発明によれば、トラクション性能を確保しつつ、従来よりも、旋回時のグリップ性が向上した自動二輪車用タイヤを提供することができる。本発明のタイヤは、泥濘地を含む不整地での使用を目的としたモトクロスおよびエンデューロ用のタイヤに好適に用いることができ、特に、リアタイヤに好適である。
【図面の簡単な説明】
【００１１】
【図１】本発明の一好適な実施の形態に係る自動二輪車用タイヤのトレッド部の展開図である。
【図２】図１に示される自動二輪車用タイヤのＸ−Ｘ線における断面図である。
【図３】本発明の一好適な実施の形態に係る自動二輪車用タイヤの中間ブロックおよびショルダーブロックの平面図であり、（ａ）は第１の中間ブロック、（ｂ）は第２の中間ブロック、（ｃ）はショルダーブロックである。
【発明を実施するための形態】
【００１２】
以下、本発明の自動二輪車用タイヤについて、図面を用いて詳細に説明する。
図１は、本発明の一好適な実施の形態に係る自動二輪車用タイヤのトレッド部の展開図であり、図２は、図１に示される自動二輪車用タイヤのＸ−Ｘ線における断面図である。ここで、図中の矢印は回転方向であり、走行中、タイヤは矢印側から接地することになる。本発明の自動二輪車用タイヤ１は、環状に形成されたトレッド部１０と、トレッド部１０の両側に連なるサイドウォール部２０およびビード部３０を有する。また、本発明のタイヤ１は、トレッド部１０のタイヤ赤道ＣＬ上に形成された中央ブロック１１と、中央ブロック１１よりもタイヤ幅方向外側に形成された中間ブロック１２と、タイヤ幅方向において最外のブロックとなるショルダーブロック１３と、を有している。
【００１３】
図示する本発明の一好適な実施の形態に係るタイヤ１においては、中央ブロック１１は、タイヤ幅方向の長さが異なる２種の中央ブロック１１Ａと中央ブロック１１Ｂとからなっており、これらが中央ブロック列を形成している。中間ブロック１２は、タイヤ幅方向における位置が異なる２種のブロックからなっており、タイヤ幅方向内側の第１の中間ブロック１２Ａと、タイヤ幅方向外側の第２の中間ブロック１２Ｂとが、それぞれ中間ブロック列を形成している。また、タイヤ幅方向において最外のブロックとなるショルダーブロック１３がショルダーブロック列を形成している。そして、中央ブロック１１、第１の中間ブロック１２Ａ、第２の中間ブロック１２Ｂ、およびショルダーブロック１３は、タイヤ周方向に沿って所定の間隔で全周にわたって配置されている。さらに、図示例においては、中央ブロック１１は、タイヤ赤道ＣＬを挟んで線対称形状に形成されており、タイヤ幅方向の長さがタイヤ周方向よりも長く、タイヤ幅方向外側端部が僅かに回転方向側へ傾斜するように角度がつけられた多角形状とされている。さらにまた、図示例においては、中間ブロック１２Ａ、１２Ｂおよびショルダーブロック１３についても、タイヤ赤道ＣＬを挟んで線対称形状となるように形成されている。
【００１４】
本発明のタイヤ１においては、中央ブロック１１と、中間ブロック列のうちタイヤ幅方向最も内側の中間ブロック列を構成する中間ブロック１２Ａとが、タイヤ周方向およびタイヤ幅方向において離間している。自動二輪車用のタイヤは、大きく倒しこまない旋回時において、中間ブロック１２Ａの接地時、中央ブロック１１も同時に接地しており、この時、中央ブロック１１が前後方向の力は負担し、中間ブロック１２Ａは横方向の力を負担すると考えられる。ここで、タイヤ周方向およびタイヤ幅方向において、中央ブロック１１と中間ブロック１２Ａとが重なり合っていると、中央ブロック１１と中間ブロック１２Ａとが同一平面と化してしまい、中間ブロック１２Ａのタイヤ赤道ＣＬ側の壁部が、横方向に対するエッヂ効果を、十分に発揮できなくなってしまう。
【００１５】
そこで、本発明のタイヤ１には、タイヤ周方向において、中央ブロック１１Ａと中間ブロック１２Ａとのタイヤ周方向の間隔Ｗ１、中央ブロック１１Ｂと中間ブロック１２Ａとのタイヤ周方向の間隔Ｗ２、中央ブロック１１Ａと中間ブロック１２Ａとのタイヤ幅方向の間隔Ｗ３、中央ブロック１１Ｂと中間ブロック１２Ａとのタイヤ幅方向の間隔Ｗ４を設け、中央ブロック１１と中間ブロック列のうちタイヤ幅方向最も内側の中間ブロック列を構成する中間ブロック１２Ａとが、タイヤ周方向にもタイヤ幅方向にも重なり合わない構成としている。図示例においては、タイヤ幅方向の長さが長い中央ブロック１１Ａと、第１の中間ブロック１２Ａとの間に、間隔Ｗ１、Ｗ２、Ｗ３、Ｗ４が設けられている。これにより、タイヤ周方向およびタイヤ幅方向のエッジ成分の重なり合いを抑えて、直進トラクション性を確保しながら、従来よりも旋回時のグリップ性を向上させている。好ましくは、全ての中間ブロックが、中央ブロック１１とタイヤ周方向およびタイヤ幅方向において離間している。なお、中間ブロック列が１列しか設けられていない場合は、この中間ブロック列が、タイヤ幅方向最も内側の中間ブロック列となる。
【００１６】
本発明のタイヤ１においては、トラクション性を確保するためには、Ｗ１およびＷ２は、７〜１５ｍｍであることが好ましい。また、旋回時のグリップ性を向上させるためには、Ｗ３およびＷ４は、４〜１８ｍｍであることが好ましい。
【００１７】
本発明のタイヤ１においては、ショルダーブロック１３よりも回転方向後着側に位置する中間ブロック１２ほど、タイヤ幅方向最外端部がタイヤ幅方向内側であることが好ましい。すなわち、図示するように、ショルダーブロック１３よりも回転方向後着側の中間ブロック１２Ｂのタイヤ幅方向最外端部は、ショルダーブロック１３のタイヤ幅方向最外端部よりもタイヤ幅方向内側であり、さらに回転方向後着側の中間ブロック１２Ａのタイヤ幅方向最外端部は、中間ブロック１２Ｂのタイヤ幅方向最外端部よりもタイヤ幅方向内側であることが好ましい。このような構成とすることで、本発明の効果をより良好に得ることができる。
【００１８】
また、本発明のタイヤ１においては、図示するように、中間ブロック１２のタイヤ赤道ＣＬ側の壁部が、凹状であることや、ショルダーブロック１３のタイヤ赤道ＣＬ側の壁部が、凹状であることが好ましい。このように、中間ブロック１２やショルダーブロック１３のタイヤ赤道ＣＬ側の壁部を凹状とすることで、直線状の場合と比較して、横方向の力を効果的に受けることができ、よりグリップ性能を向上させることができる。例えば、中間ブロック列のうちタイヤ幅方向最も内側の中間ブロック列を構成する中間ブロック１２Ａのタイヤ赤道ＣＬ側の壁部を凹状とすることで、小キャンバー領域から中キャンバー領域でのコーナリンググリップ性能を向上させることができる。なお、本発明のタイヤ１においては、凹状の形状については特に制限はなく、例えば、図示するような、タイヤ赤道ＣＬ側の壁部が２本の直線状の壁部からなる構造であってもよく、これ以外にも、回転方向先着側端部と回転方向後着側端部をと結ぶ円弧状でもよく、矩形状であってもよい。
【００１９】
本発明のタイヤ１においては、図示するように、中間ブロック１２が、タイヤ幅方向における位置が異なる２種のブロック１２Ａ、１２Ｂからなり、タイヤ幅方向内側の第１の中間ブロック１２Ａのタイヤ赤道ＣＬ側の壁部、タイヤ幅方向外側の第２の中間ブロック１２Ｂのタイヤ赤道ＣＬ側の壁部、およびショルダーブロック１３のタイヤ赤道ＣＬ側の壁部が、全て凹状であることが、より好ましい。
【００２０】
図３は、本発明の一好適な実施の形態に係る自動二輪車用タイヤの中間ブロックおよびショルダーブロックの平面図であり、（ａ）は第１の中間ブロック、（ｂ）は第２の中間ブロック、（ｃ）はショルダーブロックを示す。本発明のタイヤ１においては、図示するように、中間ブロック列を２列とし、第１の中間ブロック１２Ａにおいて、タイヤ赤道ＣＬ側の壁部における回転方向先着側端部１２Ａａと回転方向後着側端部１２Ａｂとを結んだ直線Ｌ１と、回転方向後着側端部１２Ａｂとタイヤ赤道ＣＬ側の壁部のＬ１から最も遠い点１２Ａｃとを結んだ線と、のなす角のうち小さい方をθ１、第２の中間ブロック１２Ｂにおいて、タイヤ赤道ＣＬ側の壁部における回転方向先着側端部１２Ｂａと回転方向後着側端部１２Ｂｂとを結んだ直線Ｌ２と、回転方向後着側端部１２Ｂｂとタイヤ赤道ＣＬ側の壁部のＬ２から最も遠い点１２Ｂｃとを結んだ線と、のなす角のうち小さい方をθ２、ショルダーブロック１３において、タイヤ赤道ＣＬ側の壁部における回転方向先着側端部１３ａと回転方向後着側端部１３ｂとを結んだ直線Ｌ３と、回転方向後着側端部１３ｂとタイヤ赤道ＣＬ側の壁部のＬ３から最も遠い点１３ｃとを結んだ線と、のなす角のうち小さい方をθ３、としたとき、下記式（１）、
θ１＞θ２＞θ３      （１）
で表される関係を満足することが好ましい。
【００２１】
すなわち、中間ブロック１２を２列として、中間ブロック１２およびショルダーブロック１３の全てのブロックのタイヤ赤道ＣＬ側の壁部を凹状とし、かつ、タイヤ幅方向外側に向かうにつれ、ブロックのタイヤ赤道ＣＬ側の壁部の凹状の角度θ１、θ２およびθ３を順次小さくすることが好ましい。このような構成とすることで、タイヤ赤道ＣＬに近い第１の中間ブロック１２Ａが横方向の力を十分に受け止め、グリップ性能を確保することができる。他方、第２の中間ブロック１２Ｂ、ショルダーブロック１３と、タイヤ幅方向外側に向かうにつれて壁部の凹状の傾斜を小さくすることで、中キャンバー領域から大キャンバー領域でのコーナリング時に横方向の力を逃がすことができ、タイヤを滑らせることが可能になる。
【００２２】
このような効果を良好に得るためには、θ１、θ２およびθ３は、
６°≦θ１≦１２°
３°≦θ２≦８°
１°≦θ３≦５°
であることが好ましい。
【００２３】
また、本発明のタイヤ１においては、タイヤ周方向に対する直線Ｌ１の角度θａ、タイヤ周方向に対する直線Ｌ２の角度θｂ、およびタイヤ周方向に対する直線Ｌ３の角度θｃについて、下記式（２）、
θｃ＞θｂ＞θａ      （２）
で表される関係を満足することが好ましい。すなわち、タイヤ幅方向外側に配置されるブロックほど、タイヤ赤道ＣＬ側の壁部のタイヤ周方向に対する傾斜を大きくすることが好ましい。かかる関係を満足することで、タイヤ赤道ＣＬに近い第１の中間ブロック１２Ａが横方向の力を十分に受け止め、よりグリップ性能を向上させることができ、第２の中間ブロック１２Ｂ、ショルダーブロック１３と、ショルダー側に向かうにつれ、タイヤ赤道ＣＬ側の壁部のタイヤ周方向に対する傾斜を大きくすることで、より横方向の力を逃がすことができ、タイヤを滑らせることが可能になる。好適には、
０°≦θａ≦７°
５°≦θｂ≦１０°
８°≦θｃ≦１５°
である。
【００２４】
本発明のタイヤ１においては、トレッド部１０に配置されたブロックが、上記関係を満足することのみが重要であり、これにより本発明の所期の効果を得ることができ、それ以外のタイヤ構造や材質等の条件については、特に制限されるものではない。本発明のタイヤについて、一好適な実施の形態として、２列の中間ブロック列を有するタイヤ１を用いて説明してきたが、中間ブロック列の数はこれに限られるものではない。例えば、中間ブロック１２として、第２の中間ブロック１２Ｂのタイヤ幅方向外側に、第３の中間ブロック、第４の中間ブロック等を設け、中間ブロック列を３列や４列としてもよい。また、中間ブロック列は１列であってもよい。
【００２５】
また、図示例においては、タイヤ赤道ＣＬ近傍に、タイヤ赤道ＣＬを挟んで線対象形状となるように、２種の凹部１４ａ、１４ｂがタイヤ周方向に沿って所定の間隔で全周にわたって配置されている。この凹部１４ａ、１４ｂは、図示例においては、タイヤ幅方向外側が回転方向側に向かって傾斜している。さらに、図示例においては、各ブロック１１、１２Ａ、１２Ｂ、１３に、凹部１４ｃが設けられている。図示例においては、全てのブロックに凹部１４ｃが設けられているが、本発明のタイヤ１においては、一部のブロックのみに凹部を設けてもよい。さらにまた、本発明のタイヤ１においては、中央ブロック１１、中間ブロック１２、ショルダーブロック１３の高さ、凹部１４ａ、１４ｂ、１４ｃの深さについても特に制限はなく、目的に応じて、適宜設計することができる。
【００２６】
また、本発明のタイヤ１は、少なくとも１枚のカーカスプライを骨格とし、トレッド部１０におけるカーカスプライのタイヤ半径方向外側には、少なくとも１層のベルト層を配置することができる。このベルト層は、例えば、周方向に螺旋状に巻回されたゴム被覆コードからなるスパイラルベルト層とすることができる。また、ビードコアのタイヤ半径方向外側にはビードフィラーを配置することもできる。ベルト層を構成する補強材としては、ナイロン繊維、芳香族ポリアミド（商品名：ケブラー）、スチール等が挙げられる。中でも、芳香族ポリアミドやスチールは高温時においても伸長せずにトレッド部分の膨張を抑制することができる。
【００２７】
さらに、本発明のタイヤ１の骨格をなすカーカスプライは、比較的高弾性のテキスタイルコードを互いに平行に配列してなる。カーカスプライの枚数は、１枚でも２枚でもよく、３枚以上でもかまわない。カーカスプライの両端部は、ビードコアの周りにタイヤ内側から外側に折り返して係止しても、両側からビードワイヤで挟み込んで係止してもよく、いずれの固定方法を用いてもよい。また、タイヤの最内層にはインナーライナーを配置することができる。
【００２８】
さらにまた、本発明のタイヤ１においては、トレッド部１０のトレッド表面側のキャップゴムとトレッド底面側のベースゴムとからなる２層構造とし、キャップゴムとベースゴムの硬度が異なるものとしてもよい。トレッドゴムを硬度の異なるキャップゴムとベースゴムの２層構造とすることで、路面コンディションに応じて、硬いキャップゴムと軟らかいベースゴムとの組み合わせ、または軟らかいキャップゴムと硬いベースゴムとの組み合わせ、といったようにブロック全体の剛性を変えることなく、必要な特性の確保が可能となる。なお、キャップゴムおよびベースゴムの硬度は、常法に従い、ゴム組成物やその充填剤を適宜選択することで実現することができる。
【００２９】
本発明のタイヤ１は、トラクション性能を確保しつつ、従来よりも、旋回時のグリップ性が向上しているため、泥濘地を含む不整地での使用を目的としたモトクロスおよびエンデューロ用のタイヤに好適に用いることができる。特に、リアタイヤとして好適である。
【実施例】
【００３０】
以下、本発明のタイヤを、実施例を用いてより詳細に説明する。
＜実施例１〜５＞
中央ブロック、第１の中間ブロック、第２の中間ブロックおよびショルダーブロックを有する、図１に示すタイプのタイヤを、タイヤサイズ：１４０／８０−１８Ｍ／Ｃにて作製する。中央ブロック１１Ａと中間ブロック１２Ａとのタイヤ周方向の間隔Ｗ１、中央ブロック１１Ｂと中間ブロック１２Ａとのタイヤ周方向の間隔Ｗ２、中央ブロック１１Ａと中間ブロック１２Ａとのタイヤ幅方向の間隔Ｗ３、中央ブロック１１Ｂと中間ブロック１２Ａとのタイヤ幅方向の間隔Ｗ４、凹状の角度θ１、θ２、θ３は、下記表１に示すとおりである。【００３１】
＜比較例１＞
中央ブロック、第１の中間ブロック、第２の中間ブロックおよびショルダーブロックを有するが、中央ブロックおよび第１の中間ブロックが、タイヤ周方向において重複すること以外は、実施例１〜５と同様なタイプのタイヤを作製する。中央ブロック１１Ａと中間ブロック１２Ａとのタイヤ周方向の間隔Ｗ１、中央ブロック１１Ｂと中間ブロック１２Ａとのタイヤ周方向の間隔Ｗ２、中央ブロック１１Ａと中間ブロック１２Ａとのタイヤ幅方向の間隔Ｗ３、中央ブロック１１Ｂと中間ブロック１２Ａとのタイヤ幅方向の間隔Ｗ４、凹状の角度θ１、θ２、θ３は、下記表１に示すとおりである。【００３２】
得られたタイヤにつき、トラクション性能およびグリップ性能について、下記の手順にて評価を行う。なお、オフロード用のタイヤにおいては，オンロード用のタイヤのように、コーナリング時にきっちり路面をとらえて旋回するのではなく，タイヤを滑らせて車体の向きを素早く変える必要がある。オフロードバイクは、サーキットのような緩いコーナーを曲がることはほとんどなく、狭い場所での急な方向転換が求められるためである。そのため、車体をあまり倒しこまない領域でのコーナリングはグリップが重視され、車体を倒しこんでのコーナリングは滑りが重視される。そこで、下記の評価項目であるグリップ性能および操縦性能は、それぞれ、中間ブロックの評価およびショルダーブロックの評価となる。【００３３】
＜トラクション性能＞
各タイヤを装着した車両でトラクション性能を評価する。トラクション性能はドライバーのフィーリングで評価する。評価結果は、実施例４のタイヤにおける評価を１００とした指数にて表示する。得られた結果を表１に併記した。なお、トラクション性能は、指数が１００以上であれば、十分な性能を発揮することができる。【００３４】
＜グリップ性能＞
各タイヤを装着した車両でウェット路面を走行することにより行う。グリップ性能はドライバーのフィーリングで評価する。評価結果は、実施例４のタイヤにおける評価を１００とした指数にて表示する。得られた結果を表１に併記する。【００３５】
＜操縦性能＞
各タイヤを装着した車両でウェット路面における操縦性（滑り）を評価する。操縦性は、タイヤが大きく倒れこんだ時の指数であり、ドライバーのフィーリングで評価する。評価結果は、実施例４のタイヤにおける評価を１００とした指数にて表示する。得られた結果を表１に併記する。【００３６】
【表１】
2019151505.tif 000003
【００３７】
表１より、本発明のタイヤは、トラクション性能を確保しつつ、従来よりも、旋回時のグリップ性が向上していることがわかる。
【符号の説明】
【００３８】
１  自動二輪車用タイヤ（タイヤ）
１０  トレッド部
１１  中央ブロック
１２  中間ブロック
１３  ショルダーブロック
１４  凹部
２０  サイドウォール部
３０  ビード部
【図１】
2019151505.tif 000004
【図２】
2019151505.tif 000005
【図３】
2019151505.tif 000006
【国際調査報告】
2019151505.tif 000007
2019151505.tif 000008
2019151505.tif 000009
2019151505.tif 000010